(57)【特許請求の範囲】
【請求項１】
電池を挿入するための開口を有し、内部に電池が収納される電池収納室を含むケース本体と、
前記ケース本体に嵌合することにより、前記開口を塞ぐ蓋体と、
前記ケース本体と前記蓋体との嵌合面に介挿されて押圧されることにより、前記電池収納室を外部から水密に密閉する弾性部材と、
前記蓋体の装着時において、前記蓋体を前記ケース本体に係止する複数の係止手段と、
前記蓋体を前記開口面に対して傾斜させる蓋体傾斜手段とを備え、
前記複数の係止手段の各々は、前記ケース本体に設けられたケース本体側係止部と、前記蓋体に設けられた蓋体側係止部とをそれぞれ含み、
前記蓋体は、前記係止手段の解除を行なうためのレバーと、前記レバーと連動して回転運動を行なうカムとを有し、
前記カムは、前記蓋体側係止部のそれぞれに当接する複数の当接片を周縁に有し、
前記蓋体の取外し時において、前記レバーの移動に合わせて前記それぞれの当接片が前記それぞれの蓋体側係止部と時間差をもって当接し、これにより、前記複数の係止手段の係止が互いに時間差をもって解除され、この時間差の間に前記蓋体傾斜手段によって前記蓋体が前記開口面に対して傾斜させられる、防水型電池収納体。
【請求項２】
前記蓋体傾斜手段は、前記蓋体の装着時において前記蓋体をその取外し方向に向かって押圧する弾性体からなる、請求項１に記載の防水型電池収納体。
【請求項３】
前記ケース本体は、前記開口の周縁に前記レバーを案内するための突出片を有し、
前記突出片はその一部に段差部を含み、
前記蓋体傾斜手段は、前記段差部と前記レバーとによって構成され、
前記レバーの移動により前記段差部に前記レバーが乗り上がることで前記蓋体が傾斜する、請求項１に記載の防水型電池収納体。
【発明の詳細な説明】
【０００１】
【発明の属する技術分野】
本発明は、携帯型電子機器などに搭載される防水型電池収納体に関し、より具体的には、蓋体とケース本体との係止および係止の解除機構に関する。
【０００２】
【従来の技術】
従来、携帯型電子機器の多くは乾電池などの電池を電源としており、機器本体に電池を収納する電池収納体を備えているものが多い。これらのうち、水廻りで使用される携帯型電子機器や屋外で使用される携帯型電子機器では、内部の電池や電子部品に水分が付着しないように防水構造を備える必要がある。このため、種々の防水型電池収納体が考案あるいは実用化されている。
【０００３】
ここで、一般的な防水型電池収納体の構造について見てみると、通常、防水型電池収納体は、内部に電池を収納するための電池収納室およびその上面に設けられた電池を出し入れするための開口を備えたケース本体と、この開口を塞ぐようにケース本体に取付けられる蓋体とから構成されている。この蓋体とケース本体の取付け方法としては、たとえばねじ込み式のものがある。このねじ込み式の防水型電池収納体では、蓋体とケース本体とが螺合することにより固定され、防水機能を発揮する弾性部材であるＯリングが蓋体とケース本体との嵌合面に介挿されている。
【０００４】
しかしながら、上述のねじ込み式の防水型電池収納体では、蓋体とケース本体とを螺合させるために蓋体の形状およびケース本体の開口周縁の形状をともに正円形状とする必要があり、これではいたずらに電池収納体が大型化する。また、必然的に電池収納体の形状が決まってしまうため、設計の自由度も乏しくなってしまう。さらには、蓋体を開閉するために作業者が何度も蓋体を回転させる必要があるため作業が煩雑になりがちで、強く閉め過ぎた場合には容易に開けることができなくなってしまう。
【０００５】
このため、十分な防水機能を備えた上で、ワンタッチ動作で蓋体の開閉が行なえる防水型電池収納体が考案されている。以下、このワンタッチ動作で蓋体の開閉が行なえる防止型電池収納体の一例を図を参照して説明する。図８は、従来の防水型電池収納体の全体斜視図であり、図９は、この防水型電池収納体の蓋体の係止爪の動作を説明するための動作説明図である。
【０００６】
まず、図８を参照して、従来の防水型電池収納体の構造について説明する。防水型電池収納体は、前述の通り２つの箇体から構成されている。第１の箇体であるケース本体４００は、内部に電池３００を収納するための電池収納室４０１を備えており、さらにその上面には電池３００を出し入れするための開口４０２を備えている。一方、第２の箇体である蓋体５００は、ケース本体４００に設けられた開口４０２を塞ぐようにケース本体４００に着脱自在に取付けられる。
【０００７】
蓋体５００の相対する側面には、蓋体５００とケース本体４００とが互いに係止されるように蓋体側係止部である係止爪５４３ａ，５４５ａ（図９参照）が設けられている。また、ケース本体４００の所定の位置には、この蓋体５００の係止爪５４３ａ，５４５ａが嵌め込まれるケース本体側係止部である係止凹部４２３ａ，４２５ａ（一部図示省略）が設けられている。蓋体５００に設けられた係止爪５４３ａ，５４５ａがケース本体４００側の係止凹部４２３ａ，４２５ａに嵌め込まれることで蓋体５００がケース本体４００に取付けられる。以下、この蓋体がケース本体に取付けられた状態を閉状態といい、蓋体がケース本体から取外された状態を開状態という。
【０００８】
蓋体５００とケース本体４００との嵌合面には弾性部材であるＯリング（図示せず）が介挿されており、Ｏリングが蓋体５００によってケース本体４００に押圧封止されることで水密構造をとっている。このＯリングは、蓋体５００側の嵌合面に取付けられていてもよいし、ケース本体４００側に取付けられていてもよい。なお、この弾性部材にも種々の形態および組み付け方法が提案されており、たとえば上述のＯリングによるものや蓋体などに直接シール材をインサート成形することにより形成されたものなど、多種多様な弾性部材が存在する。
【０００９】
前述の蓋体５００に設けられた係止爪５４３ａ，５４５ａのうち一方の係止爪５４３ａは可動式となっており、使用者が蓋体５００の上面に設けられた開閉操作部５３１を操作することで蓋体５００側面から突出したり、蓋体５００に収納されたりする。これは、係止爪５４３ａがバネなどの弾性体により付勢されることで実現される。他方の係止爪５４５ａは、蓋体５００に固定されている。この固定式係止爪５４５ａは、蓋体５００の成形時に同時に突出形成されたもので、前述の可動式係止爪５４３ａとは異なり、蓋体５００の開閉動作に関係なく常に蓋体５００の側面から突出して位置している。
【００１０】
以上の構造を踏まえた上で、蓋体５００の開閉動作について、図９を参照して説明する。図９（ａ）は、蓋体５００の可動式係止爪５４３ａが蓋体５００側面から突出した状態であり、図９（ｂ）は、蓋体５００に収納された状態である。蓋体５００の上面には可動式係止爪５４３ａと連動する開閉操作部５３１が設けられており、この開閉操作部５３１を使用者が指で引いたり離したりすることで、可動式係止爪５４３ａを蓋体に収納したり、突出させたりすることが可能になっている。
【００１１】
これにより、蓋体５００が閉状態にある場合に蓋体５００をケース本体４００から取外すときには、使用者が開閉操作部５３１を手前に引くことで蓋体５００とケース本体４００の係止が解除される。さらには、操作部５３１を手前に引っ張ることで蓋体５００の可動式係止爪５４３ａが設けられた方の端辺がケース本体４００から浮き上がり、蓋体５００が傾斜する。これによって、蓋体５００が取外せるようになる。
【００１２】
また、開状態から蓋体５００をケース本体４００に取付ける場合には、ケース本体４００に蓋体５００を押し当てることで可動式係止爪５４３ａが付勢バネによって蓋体５００内に引っ込むため、容易に取付けることができる。以上の構造とすることで、ワンタッチ動作で蓋体の開閉が行なえる防水型電池収納体が実現される。
【００１３】
【発明が解決しようとする課題】
しかしながら、上記構成の防水型電池収納体であっても、防水のための弾性部材がケース本体と蓋体の間に介挿されているため、蓋体の着脱が固くて取外しにくい場合が多い。これは、電池収納室が密閉されているために内部と外部の気圧差によって発生する場合や、嵌合面に水滴が浸入することなどで起こる。
【００１４】
これを解決するために、たとえば、電池の電気的取出しを行なうスプリング端子を用いて蓋体が開く方向へと内部から強めに蓋体を押圧する方法が取られていた。しかしながら、この方法では、蓋体を取外すときに蓋体が大きく飛び跳ねてしまうことが多く、さらには電池が飛び出してしまうこともあり、操作性が非常に悪かった。また、電池が収納されていない状態で蓋体を開ける場合には、スプリング端子の押圧力が蓋体に伝わらないため、蓋体の着脱が困難であった。
【００１５】
そこで、本発明の目的は、ワンタッチ動作で蓋体の着脱が可能な防水型電池収納ケースにおいて、蓋体の飛び跳ねや電池の飛び出しがなく、蓋体の開閉動作が容易に行なえる優れた操作性の防水型電池収納体を提供するとともに、電池が収納されていない場合にも容易に蓋体の開閉が行なえる防水型電池収納体を提供することを目的とする。
【００１６】
【課題を解決するための手段】
本発明の防水型電池収納体は、電池を挿入するための開口を有し、内部に電池が収納される電池収納室を含むケース本体と、ケース本体に嵌合することにより開口を塞ぐ蓋体と、ケース本体と蓋体との嵌合面に介挿されて押圧されることにより電池収納室を外部から水密に密閉する弾性部材と、蓋体の装着時において、蓋体をケース本体に係止する複数の係止手段と、蓋体を開口面に対して傾斜させる蓋体傾斜手段とを備える。複数の係止手段の各々は、ケース本体に設けられたケース本体側係止部と、蓋体に設けられた蓋体側係止部とをそれぞれ含む。蓋体は、係止手段の解除を行なうためのレバーと、レバーと連動して回転運動を行なうカムとを有する。カムは、蓋体側係止部のそれぞれに当接する複数の当接片をその周縁に有する。本防水型電池収納体においては、蓋体の取外し時において、レバーの移動に合わせてそれぞれの当接片がそれぞれの蓋体側係止部と時間差をもって当接し、これにより、複数の係止手段の係止が互いに時間差をもって解除され、この時間差の間に蓋体傾斜手段によって蓋体が開口面に対して傾斜させられる。
【００１７】
本構成の防水型電池収納体とすることで、固く閉じた蓋体を容易に取外すことが可能となり、さらには従来のように蓋体が飛び跳ねたり電池が飛び出したりすることがなくなる。具体的には、複数の係止手段が時間差をもって外れ、かつその時間差の間に蓋体が蓋体傾斜手段によって傾斜させられることで、一度に蓋体が外れることがないため上記の効果が得られるようになる。つまり、まず複数の係止手段のうち一部の係止手段が解除され、つづいて蓋体が蓋体傾斜手段によって傾斜させられ、この後すべての係止手段の解除が行なわれるようにすることで、蓋体の飛び跳ねが防止される。なお、蓋体が内部にカムを備えることで、時間差をもった係止手段の解除が実現される。さらには、蓋体が内部にカムを備えることで、レバーをスライドさせる一度の作業で、レバーの回転量に合わせてカムが回転し、時間差をもって複数の係止手段が外れることとなるため、操作性に優れたものとなる。
【００２０】
上記本発明の防水型電池収納体は、たとえば、蓋体傾斜手段は、蓋体の装着時において蓋体をその取外し方向に向かって押圧する弾性体からなることが好ましい。
【００２１】
本構成のように、蓋体傾斜手段をバネなどの弾性体によって構成することで、容易に設けることができる。この蓋体傾斜手段には、電池のスプリング端子を用いた場合も含まれるが、特に電池収納室のデッドスペースに弾性体を別途設けることで、機器の小型化が可能となり、設計の自由度も増す。
【００２２】
上記本発明の防水型電池収納体は、たとえば、ケース本体は、開口の周縁にレバーを案内するための突出片を有し、突出片はその一部に段差部を含み、蓋体傾斜手段は、段差部とレバーとによって構成され、レバーの移動により段差部にレバーが乗り上がることで蓋体が傾斜するようにしてもよい。
【００２３】
本構成は、ケース本体にレバーを案内する突出片を設け、この突出片の一部を段差形状とすることにより、蓋体を取外すために作業者がレバーをスライドさせたときにこの段差部分をレバーが乗り上げるようにすることで、蓋体を傾斜させるものである。これにより、上述の弾性体を設けることなく蓋体を蓋体が外れる方向に傾斜させることが可能となるため、防水型電池収納体の構造の簡素化および製造の簡略化が図られる。
【００２４】
【発明の実施の形態】
本発明の実施の形態について、図を参照して説明する。
【００２５】
（実施の形態１）
図１は、本発明の実施の形態１における防水型電池収納体の閉状態における全体斜視図であり、図２は、開状態における全体斜視図である。また、図３は、蓋体が閉まった状態での防水型電池収納体の図１中Ａ−Ａ′面における概略断面図であり、図４は、蓋体の分解斜視図、図５は、蓋体の係止爪の動作を説明するための動作説明図である。
【００２６】
（防水型電池収納体の構造）
まず、図１〜図３を参照して、本発明の実施の形態１における防水型電池収納体の構造について説明する。本実施の形態の防水型電池収納体は、上述の従来例と同様に、ケース本体１００と蓋体２００の２つの箇体を備えている。ケース本体１００は、電池３００を出し入れするための開口１０２を備えた容器形状を成し、電池を収納するための電池収納室１０１を備えている。また、蓋体２００はこのケース本体１００に着脱自在取付けられ、その閉状態において開口１０２を塞ぐように取付けられる。
【００２７】
（蓋体の構造）
次に、図４を参照して蓋体の構造について説明する。なお、図４は蓋体を上下反転させた状態での分解斜視図である。蓋体２００はその側面に設けられた係止爪２４３ａ，２４５ａを蓋体２００から突出させたり、蓋体２００内に収納させたりするための機構を内部に備えている。蓋体２００は上カバー２１０と下カバー２２０とを備え、これらカバーに挟まれるようにカム２４１、蓋体側係止部である２つの係止体２４３，２４５、および係止体２４３，２４５とカム２４１との間に配置されそれぞれに当接する２つの付勢バネ２４４，２４６が組み付けられる。係止体２４３，２４５は、それぞれ係止爪２４３ａ，２４５ａをその端部に備え、また付勢バネ２４４，２４６に当接する当接面２４３ｂ，２４５ｂを備えている。
【００２８】
蓋体２００上面に取付けられる開閉操作部２３０は円板形状を有しており、その円周上の一部に使用者が蓋体２００の開閉時に操作するための回転レバー２３１が形成されている。前述のカム２４１は、上カバー２１０を挟んで開閉操作部２３０にピン形状のカム軸２４２によって取付けられる。これにより、開閉操作部２３０の回転運動に連動してカム２４１が回転する仕組みとなっている。
【００２９】
下カバー２２０の下面周縁には、ケース本体１００との嵌合面２２１が下カバー２２０を段差形状とすることで設けられており、この嵌合面２２１にはＯリング２５０が取付けられる。また、下カバー２２０の下面には、電池の端子と接触する金属の板からなる電極板２２２が取付けられている。
【００３０】
（ケース本体の構造）
図２を参照して、ケース本体１００は、前述の通り内部に電池３００が収納される電池収納室１０１を備えた容器形状を成し、その上面には電池３００を出し入れするための開口１０２を備えている。この開口１０２周縁には、蓋体２００との嵌合面が段差形状を設けることで形成されている。
【００３１】
ケース本体１００の内壁面の所定位置には、閉状態において上述の蓋体２００の係止爪２４３ａ，２４５ａと係止するケース本体側係止部である係止凹部１２３ａ，１２５ａ（一部図示省略）が設けられている。また、この係止凹部１２３ａ，１２５ａの上方には、蓋体２００をケース本体１００に取付ける際に蓋体２００の係止爪２４３ａ，２４５ａを案内する溝１２４，１２６が設けられている。
【００３２】
電池収納室１０１のデッドスペースには、蓋体２００の装着時に蓋体２００が取外される方向へと蓋体２００を押圧する蓋体傾斜手段である押圧ピン１１０および付勢バネ１１１とが設けられている（図３参照）。この押圧ピン１１０は、付勢バネ１１１によって付勢されることで、閉状態において蓋体２００を押圧する。
【００３３】
（係止爪の動作）
次に、蓋体２００に設けられた係止爪２４３ａ，２４５ａの動作について説明する。図５（ａ）は開閉操作部２３０が自在である状態を示しており、この場合には係止爪２４３ａ，２４５ａは蓋体２００から突出している。
【００３４】
図５（ｂ）は、使用者によって開閉操作部２３０の回転レバー２３１がわずかに回転された状態を示しており、このとき開閉操作部２３０の回転運動がカム２４１に伝わることでカム２４１もわずかに回転し（図中半時計回り方向）、係止体の当接面２４３ｂを押す。係止体２４３は、付勢バネ２４４によってこのカム２４１の押圧方向とは反対側に向かって付勢されているが、カム２４１の押圧力がまさることで付勢バネ２４４が収縮し、係止体２４３が図中矢印Ｂ方向へとスライドする。これにより、係止爪２４３ａが蓋体２００内部へと収納される。
【００３５】
図５（ｃ）は、さらに回転レバー２３１が回転された状態を示しており、このときもう一方の係止体２４５の当接面２４５ｂがカム２４１によって押圧される。上述の係止体２４３と同様に、この係止体２４５も付勢バネ２４６によってカム２４１の押圧方向とは反対側に向かって付勢されているが、カム２４１の押圧力がまさることで付勢バネ２４６が収縮し、係止体２４５が図中矢印Ｃ方向へとスライドする。これにより、係止爪２４５ａが蓋体２００内部へと収納される。
【００３６】
以上により、蓋体２００に設けられた２つの係止爪２４３ａ，２４５ａが開閉操作部２３０の回転量にあわせて別個に時間差をもって蓋体２００に収納される。なお、この時間差は、カム２４１から突出して形成された当接片２４１ａ，２４１ｂの形状の差によってもたらされるものである。また、使用者が回転レバー２３１を回転させた後にこの回転レバー２３１を離した場合には、付勢バネ２４４，２４６によって回転操作部２３０が図５（ａ）の自在の状態へと戻る。
【００３７】
（蓋体の開閉動作）
上述の係止爪２４３ａ，２４５ａの動作を踏まえた上で、蓋体２００のケース本体１００への取付け動作および取外し動作について説明する。まず、蓋体２００をケース本体１００へ取付ける場合には、蓋体２００の開閉操作部２３０が上側に位置する状態でケース本体１００の開口１０２に蓋体２００を押し当てる。このときケース本体１００の所定位置に設けられた溝１２４，１２６に蓋体２００の係止爪２４３ａ，２４５ａが当接することで係止爪２４３ａ，２４５ａが蓋体２００内部側へと移動する。さらに、蓋体２００をケース本体１００へと押しこむことで、係止爪２４３ａ，２４５ａがケース本体１００の係止凹部１２３ａ，１２５ａにまで到達し、係止爪２４３ａ，２４５ａが再び蓋体２００から突出することでこの係止凹部１２３ａ，１２５ａとそれぞれ係止され、蓋体２００の装着が完了する。なお、このときケース本体１００のデッドスペースに設けられた押圧ピン１１０は、蓋体２００に押し下げられた状態となる。
【００３８】
次に、蓋体２００をケース本体１００から取外す場合には、蓋体２００の回転レバー２３１を回転させ、係止爪２４３ａ，２４５ａが上述の時間差をもった係止の解除動作を行なうようにする。わずかに回転レバー２３１を回転させることで、片側の係止爪２４３ａとケース本体１００の係止凹部１２３ａの係止を解除する。この時点で、ケース本体１００に設けられた押圧ピン１１０によって蓋体２００が外側に向かって押圧されているため、蓋体２００が傾斜する。さらに、回転レバー２３１を回転させることで、反対側の係止爪２４５ａとケース本体１００の係止凹部１２５ａとの係止も解除され、完全に蓋体２００がケース本体１００から取外された状態となる。
【００３９】
（効果）
上記構成の防水型電池収納体とすることで、係止手段の係止の解除が時間差をもって行なわれるため、蓋体の飛び跳ねおよび電池の飛び出しを防止することが可能となる。これにより、蓋体の開閉を行なう場合の操作性が向上する。さらには、蓋体が外れやすくなるように蓋体をケース本体側から外側に向かって押圧する手段を、従来の電池のスプリング端子ではなく、別途電池収納室のデットスペースに設けることで、電池が収納されていない場合にも蓋体を容易に取外すことが可能となる。
【００４０】
（実施の形態２）
図６は、本発明の実施の形態２におけるケース本体の構造を説明するための斜視図であり、図７は、蓋体を取外す場合の動作を説明するための図６中矢印Ｄ方向から見た動作説明図である。なお、上述の実施の形態１と同様の部分については図中同じ符号を付し、その説明は省略する。
【００４１】
（防水型電池収納体の構造）
本実施の形態における防水型電池収納体の蓋体の形状は、上述の実施の形態１と全く同一である。他方、ケース本体の形状が上述の実施の形態１と異なる。図６に示したように、ケース本体１００は、その開口１０２の周縁に蓋体２００の回転レバーを案内するための突出片１３０が形成されている。この突出片１３０上面の所定の位置には段差部１３１が設けられている。また、電池収納室１０１内の形状も異なり、押圧ピンや付勢バネは設けられていない。なお、電池収納室１０１の内壁面にはスリット１４０が設けられており、これは蓋体２００の落下を防止し、挿入される電池３００の位置決めを行なうためのものである。
【００４２】
（蓋体の取外し動作）
次に、図７を参照して、本実施の形態の防水型電池収納体において、蓋体を取外す場合の動作を説明する。図７（ａ）は、蓋体２００が閉状態にある場合を示している。このとき、本実施の形態における蓋体傾斜手段である蓋体２００の回転レバー２３１とケース本体１００の段差部１３１とは、互いに押し合うことがないように位置している。またこのとき、蓋体２００の係止爪２４３ａ，２４５ａはともに係止状態にあり、それぞれケース本体１００の係止凹部１２３ａ，１２５ａに係止されている。
【００４３】
次に、図７（ｂ）は、回転レバー２３１が使用者によってわずかにスライドされた状態を示している。この場合、上述の実施の形態１において説明したように、回転レバー２３１がわずかにスライドすることで一方の係止爪２４３ａの係止が解除される。これと同時に、回転レバー２３１と突出片１３０の段差部１３１とが接触する。この結果、蓋体２００はケース本体の開口１０２面から傾いた状態となる。
【００４４】
さらに、回転レバー２３１をスライドさせた状態を図７（ｃ）に示す。この状態において、蓋体２００の回転レバー２３１は完全に突出片１３０の段差部１３１を乗り越えると同時に、他方の係止爪２４５ａの係止も解除されることで蓋体２００ケース本体１００からの取外しが完了する。
【００４５】
（効果）
上記構成の防水型電池収納体とすることで、係止手段の係止の解除が時間差をもって行なわれるため、蓋体の飛び跳ねおよび電池の飛び出しを防止することが可能となると同時に、押圧ピンを形成することなく、固く閉じた蓋体を取外すことが可能となる。これにより、蓋体の開閉作業が容易化した上に、防水型電池収納体の構造の簡素化および製造の簡略化が図られる。
【００４６】
上述の実施の形態では、電池収納室を水密とするための弾性部材にＯリングを用いた場合を例示しているが、これはより高い水密性を確保するために選択したものであり、特にこれに限定されるものではない。上述したように、シール材をインサート成形により蓋体やケース本体に形成したものや、シート状のシール材の外周部が露出するように板材の部材などで蓋体やケース本体に挟み付けられたものなど、どのようなものであってもよい。
【００４７】
また、上述の実施の形態では、電池を出し入れするための開口が長円形状となっているが、特にこれに限定されるものではなく、正円形状であっても多角形状であってもよい。しかし、より高い水密性を確保するためには正円形状または長円形状が好ましい。
【００４８】
なお、本発明の防水型電池収納体が利用される携帯型電子機器としては、たとえば、ラジオ、携帯電話、懐中電灯、カメラ、シェイバー、ドライヤー、ネブライザーなど多種多様のものが考えられる。
【００４９】
したがって、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【００５０】
【発明の効果】
本発明によれば、ワンタッチ動作で蓋体の脱着が可能で、かつ蓋体の飛び跳ねや電池の飛び出しがなく、開閉動作が容易に行なえる優れた操作性の防水型電池収納体を提供することが可能となり、さらには、電池を収納していない場合にも容易に蓋体の開閉を行なうことができる防水型電池収納体を提供することが可能となる。
【図面の簡単な説明】
【図１】  本発明の実施の形態１における防水型電池収納体の蓋体が閉まった状態での全体斜視図である。
【図２】  本発明の実施の形態１における防水型電池収納体の蓋体が開いた状態での全体斜視図である。
【図３】  本発明の実施の形態１における防水型電池収納体の蓋体が閉まった状態での図１中Ａ−Ａ′面における概略断面図である。
【図４】  本発明の実施の形態１における防水型電池収納体の蓋体の分解斜視図である。
【図５】  本発明の実施の形態１における防水型電池収納体の蓋体に設けられた係止爪の動作を説明するための動作説明図である。
【図６】  本発明の実施の形態２における防水型電池収納体のケース本体の斜視図である。
【図７】  本発明の実施の形態２における防水型電池収納体の蓋体の取外し動作を説明するための図６中矢印Ｄ方向から見た動作説明図である。
【図８】  従来のワンタッチ動作の防水型電池収納体の構造を説明するための全体斜視図である。
【図９】  従来のワンタッチ動作の防水型電池収納体の蓋体に設けられた係止爪の動作を説明するための動作説明図である。
【符号の説明】
１００  ケース本体、１０１  電池収納室、１０２  開口、１１０  押圧ピン、１１１  （押圧ピンの）付勢バネ、１２３ａ，１２５ａ  係止凹部、１２４，１２６  溝、１３０  突出片、１３１  段差部、１４０  スリット、２００  蓋体、２１０  上カバー、２２０  下カバー、２２１  嵌合面、２２２  電極板、２３０  開閉操作部、２３１  回転レバー、２４１  カム、２４１ａ，２４１ｂ当接片、２４２  カム軸、２４３，２４５  係止体、２４３ａ，２４５ａ  係止爪、２４３ｂ，２４５ｂ  当接面、２４４，２４６  （係止体の）付勢バネ、２５０  Ｏリング、３００  電池。
【図１】
0003818111.tif 000002
【図２】
0003818111.tif 000003
【図３】
0003818111.tif 000004
【図４】
0003818111.tif 000005
【図５】
0003818111.tif 000006
【図６】
0003818111.tif 000007
【図７】
0003818111.tif 000008
【図８】
0003818111.tif 000009
【図９】
0003818111.tif 000010